(57)【要約】【課題】用途に応じて記録媒体を有効活用することができる映像記録装置を提供する。【解決手段】映像記録装置６は、監視対象エリアを撮像した映像データを一定時間毎に取得し、取得された映像データを記録する第１記録媒体６４及び第２記録媒体６５を備える。ＣＰＵ６２は、上記取得された映像データを、第１記録プログラム６３２により第１記録間隔で第１記録媒体６４に記録させ、第２記録プログラム６３３により第１記録間隔より長い第２記録間隔で第２記録部に記録させる。【選択図】      図２
2010087969.tif 000002
【特許請求の範囲】
【請求項１】
監視対象エリアを撮像した映像データを一定時間毎に取得する取得手段と、
前記取得された映像データを記録する第１及び第２記録部と、
前記取得された映像データを第１記録間隔で前記第１記録部に記録させる第１記録手段と、
前記取得された映像データを前記第１記録間隔より長い第２記録間隔で前記第２記録部に記録させる第２記録手段と
を具備することを特徴とする映像記録装置。
【請求項２】
監視対象エリアを撮像した映像データを一定時間毎に取得する取得手段と、
前記取得された映像データを記録する第１及び第２記録部と、
前記取得された映像データを第１記録間隔で前記第１記録部に記録させる第１記録手段と、
前記第１記録手段に記録された映像データを読み出して前記第１記録間隔より長い第２記録間隔で前記第２記録部に記録させる第２記録手段と
を具備することを特徴とする映像記録装置。
【発明の詳細な説明】
【技術分野】
【０００１】
この発明は、例えば映像監視システムに用いられ、監視カメラにより撮像された映像を記録する映像記録装置に関する。
【背景技術】
【０００２】
映像監視システムは、ホテルやビル、コンビニエンスストアや金融機関等における犯罪抑止、あるいはダムや道路といった公共施設等の事故防止の目的で設置されている。一般的な映像監視システムでは、カメラ等で監視対象エリアを撮像し、撮像された映像を管理事務所や警備室等の監視センタに伝送する。監視者は、伝送されてくる映像により監視対象を監視し、目的や必要に応じて注意や警告をしたり、映像を記録して保存する。
【０００３】
近年、こうした映像監視システムの分野において、監視カメラの映像をデジタル化し、インターネットに代表されるＩＰ（Internet Protocol）ネットワークを介して、映像を伝送し監視を行うネットワーク型映像監視システムが普及してきている。映像監視には、「監視映像を記録しておいて、問題発生時に時間を遡って記録映像を見る」といった監視形態もあり、金融機関や商店を中心にこのような「記録型監視」の顧客ニーズが存在する。
【０００４】
そこで、ネットワーク型映像監視システムにおいて、こうした「記録型監視」のニーズに対応可能な映像配信装置が提案されている（例えば、特許文献１を参照。）。
【０００５】
【特許文献１】特開２００５−２３６９７３公報
【発明の開示】
【発明が解決しようとする課題】
【０００６】
ところが、上述したような「記録型監視」の映像監視システムにおいて、映像を記録するための大きな要素は、映像を記録するための記録媒体の容量、記録する映像データのサイズ、記録する映像データの間隔である。記録媒体の容量については、ハードディスクドライブ（ＨＤＤ）などの記録媒体に記録することが一般的である。しかし、その記録媒体は、ＨＤＤを例に挙げれば、容量の大きなものを使用することで、記録時間を長くすることができる。しかし、容量を大きくするため、ＨＤＤ１つの容量を大きくする、複数のＨＤＤを使い容量を大きくする方法があるが、ＨＤＤのコストがかかること、また、ＨＤＤの台数を多くすると、ＨＤＤが故障する確率が増えることがあり、一概に容量を大きくするだけでは、デメリットも増えてくる。
【０００７】
また、記録媒体には、上記に挙げたＨＤＤの増設の他に、ＤＶＤ（Digital Video Disk）やＣＤ（Compact Disk）といった外部に持ち運びしやすい媒体も存在する。この場合は、ＨＤＤと異なり媒体に記録するスピードが問題となる。ＤＶＤなどはＨＤＤに比べ、記録速度が遅い。そのため、ＤＶＤなどへ映像データを記録する場合は、映像データの量を極力小さくするか、映像データ間隔をあけるなどをする必要が生じてくる。
【０００８】
顧客が映像データを必要とするのは、記録映像を常時見ることは稀であり、事件事故が発生したときや、過去の大事な場面の１部分が必要となるだけである。事件事故に対しては、１週間程度以内に警察へ映像提供するなど短い期間での使用がある。また、過去の大事な場面の画像となると、機密室への入退など、動画性は無くても、顔が判別できるぐらいの画質が要求される。しかも、昨今の事件事故、情報漏えいなどの問題により、長期間の映像データの記録が求められている。
【０００９】
この発明は上記事情に着目してなされたもので、その目的とするところは、用途に応じて記録媒体を有効活用することができる映像記録装置を提供することにある。
【課題を解決するための手段】
【００１０】
上記目的を達成するためにこの発明に係る映像記録装置の一態様は、監視対象エリアを撮像した映像データを一定時間毎に取得する取得手段と、前記取得された映像データを記録する第１及び第２記録部と、前記取得された映像データを第１記録間隔で前記第１記録部に記録させる第１記録手段と、前記取得された映像データを前記第１記録間隔より長い第２記録間隔で前記第２記録部に記録させる第２記録手段とを具備する。
【００１１】
また、この発明に係る映像記録装置の一態様は、監視対象エリアを撮像した映像データを一定時間毎に取得する取得手段と、前記取得された映像データを記録する第１及び第２記録部と、前記取得された映像データを第１記録間隔で前記第１記録部に記録させる第１記録手段と、前記第１記録手段に記録された映像データを読み出して前記第１記録間隔より長い第２記録間隔で前記第２記録部に記録させる第２記録手段を具備するものである。
【００１２】
すなわち、上記映像記録装置では、装置内部に複数の記録媒体を持ち、記録媒体によって映像データの記録間隔を制御することで用途に応じた記録をすることができる機能を設ける。これにより、長期間記録するための記録媒体には、記録間隔をあけて映像データを記録し、短期記録用の記録媒体には記録間隔の短い映像データを記録することにより、用途に応じて記録媒体を使い分けることが可能となる。
【発明の効果】
【００１３】
したがってこの発明によれば、用途に応じて記録媒体を有効活用することができる映像記録装置を提供することができる。
【発明を実施するための最良の形態】
【００１４】
以下、図面を参照してこの発明の実施形態について詳細に説明する。  
図１は、この発明に係る映像記録装置を用いた映像監視システムの一実施形態を示す全体構成図である。なお、図１において、この発明に係る映像記録装置は、映像記録配信装置６として構成される。
【００１５】
このシステムは、ネットワーク媒体１、映像生成装置２、映像発信装置３、映像受信装置４、映像表示装置５、及び映像記録配信装置６を備える。ネットワーク媒体１は、例えば、ネットワークケーブルや無線ＬＡＮ（Local Area Network）、公衆回線等であり、送出されたデータを伝送する。また、ネットワーク媒体１にはルータやハブ等のネットワーク機器も含まれる。映像発信装置３、映像受信装置４、及び映像記録配信装置６は、ネットワーク媒体１にそれぞれ接続され、このネットワーク媒体１を介して互いに通信することができる。なお、図１において、映像記録配信装置６に接続される各装置の台数は任意に選択できる。
【００１６】
映像生成装置２は、例えば、ＣＣＤ（Charge-Coupled Device）等の撮像素子を持ったカメラであり、光を電気に変換して映像データを生成する機能を有する。映像生成装置２は、監視対象エリアに設置され、監視対象エリアを常時撮像して映像データを生成する。
【００１７】
映像発信装置３は、例えば、映像生成装置２からの映像を受け取るインタフェースと画像コーデック、ネットワークインタフェースを内蔵したエンコーダ装置であり、映像生成装置２からの入力映像をネットワーク伝送に適した形に変換し、ネットワーク媒体１に発信する。例えば、映像生成装置２からの入力映像がアナログ映像であった場合にはデジタル変換し、ネットワーク媒体１の伝送帯域によっては、圧縮処理を施したりもする。なお、映像生成装置２と映像発信装置３は、例えばウェブカメラのように、１つの装置として一体化された形態でもよい。
【００１８】
映像受信装置４は、例えば、ネットワークインタフェースと画像コーデック、映像表示装置５に映像を出力するインタフェースを内蔵したデコーダ装置であり、ネットワーク媒体１を伝送されてきた映像を受信し、映像表示装置５が表示可能な形式に変換し出力する機能を有する。例えば、映像表示装置５がテレビモニタで構成される場合には、アナログ変換を行う。また、受信した映像が圧縮映像であった場合には、画像コーデックを使って伸張処理を施したりもする。
【００１９】
映像表示装置５は、例えば、テレビモニタ、ＣＲＴ（Cathode-Ray Tube）、液晶ディスプレイ（ＬＣＤ：Liquid Crystal Display）といった投影素子を持った表示装置であり、電気を光に変えて映像を表示する。
なお、映像受信装置４と映像表示装置５は、１つの装置として結合された形態でもよい。例えば、テレビモニタに内蔵された形態、ＣＲＴを接続したコンピュータの形態、あるいは、液晶ディスプレイを備えた携帯電話等の携帯端末の形態などが挙げられる。また、映像受信装置４は、映像記録配信装置６に対し、再生や早送り等の再生指示を行う操作インタフェースも内蔵する。このインタフェースは、例えば、コンピュータ画面のＧＵＩ（Graphical User Interface）、あるいは、映像受信装置４に接続された制御盤端末であっても良い。
【００２０】
映像記録配信装置６は、例えば、ネットワークインタフェースや、記録媒体へのインタフェースを内蔵したパーソナルコンピュータ（ＰＣ：Personal Computer）であり、映像発信装置３からネットワーク媒体１を伝送されてきた映像を受信し、接続された記録媒体に映像を記録する機能と、映像受信装置４からの映像配信要求に応じ、記録媒体より要求の映像を取り出し、ネットワーク媒体１を介して映像受信装置４に該映像を配信する機能を有する。
【００２１】
ここで、映像記録配信装置６の構成について説明する。図２は、映像記録配信装置６の一実施形態を示す機能ブロック図である。  
映像記録配信装置６は、ネットワークコネクタ６１、ＣＰＵ（Central Processing Unit）６２、メモリ６３、第１記録媒体６４、及び第２記録媒体６５を備える。
【００２２】
ネットワークコネクタ６１は、例えば、ネットワーク媒体１と映像記録配信装置６を接続するもので、ＰＣのマザーボードに搭載されたものや、ＣＰＵとのバスで接続されたネットワークコネクタを搭載したボードである。
ＣＰＵ６２は、ＰＣの映像を記録や配信のために、映像データの受け渡しや、記録媒体への読み書き、半導体記憶媒体のデータの受け渡しなどが動作するための制御をする機能を有したものである。
【００２３】
メモリ６３は、記録・配信するための映像データを一時的にバッファするための一時メモリ６３１として用いられる。また、メモリ６３には、ＣＰＵ６２に映像データの記録動作を行わせるための制御プログラムとして、第１記録プログラム６３２、第２記録プログラム６３３、及び記録制御プログラム６３４が記憶される。
【００２４】
記録制御プログラム６３４は、上記映像発信装置３から映像データを取得して一時メモリ６３１に一時的に記憶させる。第１記録プログラム６３２は、第１記録媒体６４に記録するために一時メモリ６３１に記憶された映像データを所定の第１記録間隔で第１記録媒体６４に記録させる処理を行う。第２記録プログラム６３３は、第２記録媒体６５に記録するために一時メモリ６３１に記憶された映像データを上記第１記録間隔より長い第２記録間隔で第２記録媒体６５に記録させる。なお、本実施形態では、第１記録媒体６４及び第２記録媒体６５の２つの記録媒体を備える例であるが、記録媒体を増やすことは可能であり、増やした数だけ記録プログラムが増える。
【００２５】
第１記録媒体６４及び第２記録媒体６５は、映像データを再生可能な形式で格納する半導体記憶媒体や磁気記録媒体などで構成される。なお、第１記録媒体６４及び第２記録媒体６５は、使用用途に応じて複数個設けてもよい。例えば、第１記録媒体６４は、フラッシュメモリ等の半導体記憶媒体にデータを記録するドライブ装置であるＳＳＤ（Solid State Drive）で構成され、第２記録媒体６５は、ハードディスクドライブで構成されるものとする。第１記録媒体６４及び第２記録媒体６５は、ＣＰＵ６２とバスで直接つながれる場合や、例えば、ＳＣＳＩ（Small Computer System Interface）やＡＴＡ（AT Attachment）、ＦＣ（Fibre Channel）といったネットワークコネクタを介して接続される場合もある。
【００２６】
次に、このように構成された映像記録配信装置の映像記録動作の具体的な処理内容を各実施例にしたがって説明する。
（実施例１）  
実施例１では、記録用途の異なる２つの記録媒体がある例で説明する。第１記録媒体６４には、短期間記録用として動きの連続性のある記録間隔の短い記録を行い、第２記録媒体６５には、長期間記録用として記録間隔のあいた記録を行う手法について説明する。
【００２７】
図３は、実施例１における記録制御プログラム６３４の処理手順を示すフローチャートである。図４は、実施例１における第１記録プログラム６３２の処理手順を示すフローチャートである。また、図５は、実施例１における第２記録プログラム６３３の処理手順を示すフローチャートである。
【００２８】
図３において、映像記録配信装置６が起動すると、ＣＰＵ６２は、記録制御プログラム６３４を実行して、映像データの取得処理を開始する（ステップＳ３ａ）。記録する映像データは、ネットワーク先にある映像発信装置３で生成されるので、ＣＰＵ６２は、映像発信装置３に対して最新の映像データを要求する（ステップＳ３ｂ）。映像発信装置３は、この要求信号に応答して現在の映像データを送信する。ＣＰＵ６２は、上記送信された映像データをネットワーク媒体１を介して取得する（ステップＳ３ｃ）。
【００２９】
次に、ＣＰＵ６２は、映像データを記録しておくための第１記録媒体６４が本装置内に接続されているか否かを確認する（ステップＳ３ｄ）。ＣＰＵ６２は、第１記録媒体６４が存在する場合は、前回第１記録媒体６４に記録した時刻と現在時刻とを比較して、第１記録媒体６４に記録する時間間隔（第１記録間隔）以上経過しているか判断する（ステップＳ３ｅ）。現在時刻が第１記録間隔以上経過している場合は、一時メモリ６３１に第１記録媒体６４用のエリアを確保し、上記取得した映像データを一時的に記録する（ステップＳ３ｆ）。この一時的な記録は行わなくてもよく、直接第１記録媒体６４に映像データを記録してもよい。映像データを記録した場合は、次回の映像記録との経過時間を計算するために現在時刻を記憶しておく（ステップＳ３ｇ）。上記ステップＳ３ｅにおいて、第１記録間隔を経過していない間に映像データを取得した場合は、取得した映像データを一時メモリ６３１に記録させずに次の処理（ステップＳ３ｈ）へと移る。
【００３０】
さらに、第２記録媒体６５が本装置内に接続されているか否かを確認する（ステップＳ３ｈ）。ＣＰＵ６２は、第２記録媒体６５が存在する場合は、前回第２記録媒体６５に記録した時刻と現在時刻とを比較して、第２記録媒体６５に記録する時間間隔（第２記録間隔）以上経過しているか判断する（ステップＳ３ｉ）。現在時刻が第２記録間隔以上経過している場合は、一時メモリ６３１に第１記録媒体６４用のエリアを確保し、一時的に映像データを記録する（ステップＳ３ｊ）。この一時的な記録は行わなくてもよく、直接第２記録媒体６５に映像データを記録してもよい。映像データを記録した場合は、次回の映像記録との経過時間を計算するために現在時刻を記憶しておく（ステップＳ３ｋ）。上記ステップＳ３ｅにおいて、第２記録間隔を経過していない間に映像データを取得した場合は、取得した映像データを一時メモリ６３１に記録させずに次の処理（ステップＳ３ｌ）へと移る。
【００３１】
ＣＰＵ６２は、映像記録配信装置６の動作が終了した場合や、映像データの記録停止指示があったかを確認して映像データ取得終了かどうかを判断する（ステップＳ３ｌ）。終了指示があった場合は、ＣＰＵ６２は、記録制御プログラム６３４を終了させる（ステップＳ３ｎ）。終了指示がない場合は、映像データ取得の時間間隔を確認する。前回映像データを取得した時刻と現在時刻とを比較して映像データ取得間隔以上経過しているか判断する（ステップＳ３ｍ）。経過していない場合は、少し時間間隔を空け現在時刻を取得し、再度映像データ取得間隔以上経過しているか判断する。経過している場合は、ステップＳ３ｂの処理に戻り映像発信装置３に対して映像データ取得要求を行う。
【００３２】
図４において、映像記録配信装置６が起動すると、ＣＰＵ６２は、第１記録媒体６４が本装置内に存在する場合、第１記録プログラム６３２を実行し、映像データを記録するために起動する（ステップＳ４ａ）。一時メモリ６３１には、上記記録制御プログラム６３４により第１記録媒体６４用のエリアに映像データが記録されるが、その記録された映像データが一定量に達したかを確認する（ステップＳ４ｂ）。一定量に達しない場合は、少し時間間隔を空け再度映像データが一定量記録されているかを確認する。一定量の映像データが記録されていると判定された場合は、その映像データ群を第１記録媒体６４に記録する（ステップＳ４ｃ）。ＣＰＵ６２は、映像記録配信装置が終了した場合や、映像データの記録停止指示があったかを確認して映像データ記録終了かどうかを判断する（ステップＳ４ｄ）。ＣＰＵ６２は、終了指示があった揚合は、第１記録プログラム６３２を終了させ（ステップＳ４ｅ）、終了指示がない場合は、ステップＳ４ｂの処理に戻り一時メモリ６３１に第１記録媒体６４用の映像データが一定量記録されているかを確認する。
【００３３】
図５において、ＣＰＵ６２は、上述した第１記録媒体６４に対する処理と同様に、第２記録プログラム６３３により第２記録媒体６５に対して記録処理を行う。映像記録配信装置６が起動すると、ＣＰＵ６２は、第２記録媒体６５が本装置内に存在する場合、第２記録プログラム６３３を実行し、映像データを記録するために起動する（ステップＳ５ａ）。一時メモリ６３１の第２記録媒体６５用のエリアに一定量の映像データが記録されているか確認する（ステップＳ５ｂ）。一定量の映像データが記録されている場合は、その映像データ群を第２記録媒体６５に記録する（ステップＳ５ｃ）。ＣＰＵ６２は、映像データ記録終了かどうかを判断し（ステップＳ５ｄ）、終了指示があった場合は、第２記録プログラム６３３を終了させる（ステップＳ５ｅ）。終了指示がない場合は、ステップＳ５ｂの処理に戻り一時メモリ６３１に第２記録媒体６５用の映像データが一定量記録されているかを確認する。  
以上述べたように実施例１の手法により、記録間隔の異なる映像データごとに記録媒体を使い分けることが可能となる。なお、上記実施例１では２つの記録媒体としたが、さらに複数の記録媒体に分けることも可能である。
【００３４】
（実施例２）  
上記実施例１と同様に、実施例２についても、記録用途の異なる２つの記録媒体がある例で説明する。第１記録媒体６４には、短期間記録用として動きの連続性のある記録間隔の短い記録を行う。この記録の際には、第１記録媒体６４に記録する第１記録間隔は、映像発信装置３から映像を取得する間隔と同じとする。また、第２記録媒体６５には、第１記録媒体６４から映像データを読み出して、長期間記録用として第１記録間隔より記録間隔のあいた第２記録間隔で記録を行う。
【００３５】
図６，８は、実施例２における記録制御プログラム６３４の処理手順を示すフローチャートである。図７は、実施例２における第１記録プログラム６３２の処理手順を示すフローチャートである。また、図９は、実施例２における第２記録プログラム６３３の処理手順を示すフローチャートである。
【００３６】
図６において、ＣＰＵ６２は、映像記録配信装置６が起動すると、ＣＰＵ６２は、記録制御プログラム６３４を実行して、映像データの取得処理を開始する（ステップＳ６ａ）。記録する映像データは、ネットワーク先にある映像発信装置３で生成されるので、ＣＰＵ６２は、映像発信装置３に対して最新の映像データを要求する（ステップＳ６ｂ）。映像発信装置３は、この要求信号に応答して現在の映像データを送信する。ＣＰＵ６２は、上記送信された映像データをネットワーク媒体１を介して取得する（ステップＳ６ｃ）。そして、ＣＰＵ６２は、一時メモリ６３１に第１記録媒体６４用のエリアを確保し、取得した映像データを一時的に記録する（ステップＳ６ｄ）。この一時的な記録は行わなくてもよく、直接第１記録媒体６４に映像データを記録してもよい。
【００３７】
次に、ＣＰＵ６２は、映像記録配信装置６の動作が終了した場合や、映像データの記録停止指示があったかを確認して映像データ取得終了かどうかを判断する（ステップＳ６ｅ）。終了指示があった場合は、ＣＰＵ６２は、記録制御プログラム６３４を終了させる（ステップＳ６ｇ）。終了指示がない場合は、映像データ取得の時間間隔（第１記録間隔）を確認する。前回映像データを取得した時刻と現在時刻とを比較して映像データ取得間隔以上経過しているか判断する（ステップＳ６ｆ）。経過していない場合は、少し時間間隔を空け現在時刻を取得し、再度映像データ取得間隔以上経過しているか判断する。経過している場合は、ステップＳ６ｂの処理に戻り映像発信装置３に対して映像データ取得要求を行う。
【００３８】
図７において、映像記録配信装置６が起動すると、ＣＰＵ６２は、第１記録媒体６４が本装置内に存在する場合、第１記録プログラム６３２を実行し、映像データを記録するために起動する（ステップＳ７ａ）。一時メモリ６３１には第１記録媒体６４用のエリアが確保され、上記記録制御プログラム６３４により映像データが記録されるが、その記録された映像データが一定量に達したかを確認する（ステップＳ７ｂ）。一定量に達しない場合は、少し時間間隔を空け再度映像データが一定量記録されているかを確認する。一定量の映像データが記録されていると判定された場合は、その映像データ群を第１記録媒体６４に記録する（ステップＳ７ｃ）。ＣＰＵ６２は、映像記録配信装置が終了した場合や、映像データの記録停止指示があったかを確認して映像データ記録終了かどうかを判断する（ステップＳ７ｄ）。ＣＰＵ６２は、終了指示があった揚合は、第１記録プログラム６３２を終了させ（ステップＳ７ｅ）、終了指示がない場合は、ステップＳ４ｂの処理に戻り一時メモリ６３１に映像データが一定量記録されているかを確認する。
【００３９】
ＣＰＵ６２は、記録制御プログラム６３４により、上記図６の動作と並行して図８に示す処理を行う。図８において、ＣＰＵ６２は、記録制御プログラム６３４を実行すると、映像データの取得処理を開始する（ステップＳ８ａ）。ＣＰＵ６２は、記録する映像データを先の第１記録媒体６４から読み出して取得する（ステップＳ８ｂ）。ＣＰＵ６２は、前回第１記録媒体６４に記録した映像データの時刻と現在取得した映像データの時刻とで差分を計算し（ステップＳ８ｃ）、その差分が記録する時間間隔（第２記録間隔）以上経過しているか判断する（ステップＳ８ｄ）。現在取得した映像データの時刻が第２記録間隔以上経過している場合は、一時的に、半導体記録媒体に第２記録媒体６５用のエリアを確保し、第１記録媒体６４から取得した映像データを記録する（ステップＳ８ｅ）。この一時的な記録は行わなくてもよく、直接第２記録媒体６５に映像データを記録してもよい。映像データを記録した場合は、次回の映像記録との時間経過時間を計算するために現在取得した映像データの時刻を記憶しておく。第２記録間隔を経過していない間に映像データを取得した場合は、取得した映像データを一時メモリ６３１に記録させずに次の処理（ステップＳ８ｆ）へと移る。ＣＰＵ６２は、映像記録配信装置６の動作が終了した場合や、映像データの記録停止指示があったかを確認して映像データ取得終了かどうかを判断する（ステップＳ８ｆ）。終了指示があった場合は、ＣＰＵ６２は、記録制御プログラム６３４を終了させる（ステップＳ８ｇ）。終了指示がない場合は、ステップＳ８ｂの処理に戻り第１記録媒体６４から映像データ取得する。
【００４０】
図９において、ＣＰＵ６２は、上記図７に示した第１記録媒体６４に対する処理と同様に、第２記録プログラム６３３により第２記録媒体６５に対して記録処理を行う。映像記録配信装置６が起動すると、ＣＰＵ６２は、第２記録媒体６５が本装置内に存在する場合、第２記録プログラム６３３を実行し、映像データを記録するために起動する（ステップＳ９ａ）。一時メモリ６３１の第２記録媒体６５用のエリアに一定量の映像データが記録されているか確認する（ステップＳ９ｂ）。一定量の映像データが記録されている場合は、その映像データ群を第２記録媒体６５に記録する（ステップＳ９ｃ）。ＣＰＵ６２は、映像データ記録終了かどうかを判断し（ステップＳ９ｄ）、終了指示があった場合は、第２記録プログラム６３３を終了させる（ステップＳ９ｅ）。終了指示がない場合は、ステップＳ９ｂの処理に戻り一時メモリ６３１に第２記録媒体６５用の映像データが一定量記録されているかを確認する。
【００４１】
以上述べたように実施例２の手法を用いても、記録間隔の異なる映像データごとに記録媒体を使い分けることが可能となる。なお、上記実施例２では、１つの映像記録配信装置６内に記録間隔の異なる記録媒体を持った揚合を記載したが、映像記録配信装置６自体を複数台持つことで、他の映像記録配信装置６の第１記録媒体６４に記録された映像データを取得して、別の装置で記録間隔の異なる映像データを持つようにすることも可能となる。
【００４２】
すなわち、本実施形態によれば、ユーザの用途に応じて記録媒体を使い分けることもできると同時に、長期記録に記録間隔が短いと膨大な記録媒体が必要になるため、使い分けができることにより記録媒体を有効活用できる。例えば、事件事故などが発生した場合、記録期間は短期間でも良いが、動画の連続性を持たせるため記録間隔の短い映像を記録した記録媒体の映像を使うことができる。そうすると、例えば犯人がカメラの前を一瞬で通った場合でも、記録される確率が高くなる。また、記録期間を長くするために記録間隔の空けた記録を行った記録媒体のデータは、例えばセキュリティの高い部屋に入退した人などが写っていればよく、動画としての連続性は無くても十分に証拠にはなりえる。以上のようにユーザの用途に応じて記録媒体を有効活用することができる。
【００４３】
また、記録媒体の障害などは記録回数の多い記録媒体で発生する確率が高くなるが、この記録媒体は記録期間が短いため、障害で、媒体自体を交換する場合でも、映像の欠損期間を短く済ませることができる。また、同じ時間帯も記録間隔が広がるが、全く無くなる訳ではないので、欠損期間は少なくて済む。
【００４４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４５】
【図１】この発明に係る映像配信装置を備えた映像監視システムの構成の一例を示す図。
【図２】図１に示す映像記録配信装置の一実施形態を示すブロック図。
【図３】実施例１の記録制御プログラムの処理手順を示すフローチャート。
【図４】実施例１の第１記録プログラムの処理手順を示すフローチャート。
【図５】実施例１の第２記録プログラムの処理手順を示すフローチャート。
【図６】実施例２の記録制御プログラムの処理手順を示すフローチャート。
【図７】実施例２の第１記録プログラムの処理手順を示すフローチャート。
【図８】実施例２の記録制御プログラムの処理手順を示すフローチャート。
【図９】実施例２の第２記録プログラムの処理手順を示すフローチャート。
【符号の説明】
【００４６】
１…ネットワーク媒体、２…映像生成装置、３…映像発信装置、４…映像受信装置、５…映像表示装置、６…映像記録配信装置、６１…ネットワークコネクタ、６２…ＣＰＵ、６３…メモリ、６３１…一時メモリ、６３２…第１記録プログラム、６３３…第２記録プログラム、６３４…記録制御プログラム、６４…第１記録媒体、６５…第２記録媒体。
【図１】
2010087969.tif 000003
【図２】
2010087969.tif 000004
【図３】
2010087969.tif 000005
【図４】
2010087969.tif 000006
【図５】
2010087969.tif 000007
【図６】
2010087969.tif 000008
【図７】
2010087969.tif 000009
【図８】
2010087969.tif 000010
【図９】
2010087969.tif 000011